(57)【要約】【課題】ひとつ以上の電池モジュールを組み込んだ電池パックにおいて、簡素な構成で電池モジュールを組み込むことが可能な電池パックを提供すること。【解決手段】互いに電気的に接続されて単一の複合電池を構成する複数のバッテリセルと、該複数のバッテリセルをまとめて囲う第１のケースと、上記単一の複合電池の正極および負極の端子部材とを有する電池モジュールと、電池モジュールを収容する第２のケースと、を具備し、電池モジュールの端子部材が、構造的に、第２のケース内に該電池モジュールを取り付けるための取り付け部材になっており、第２のケースが、該第２のケースの内壁面に取り付け部材に対応する取り付け部材固定部を有する。【選択図】図４
2010097723.tif 000002
【特許請求の範囲】
【請求項１】
互いに電気的に接続されて単一の複合電池を構成する複数のバッテリセルと、該複数のバッテリセルをまとめて囲う第１のケースと、前記単一の複合電池の正極および負極の端子部材とを有する電池モジュールと、
前記電池モジュールを収容する第２のケースと、を具備し、
前記電池モジュールの前記端子部材が、構造的に、前記第２のケース内に該電池モジュールを取り付けるための取り付け部材になっており、
前記第２のケースが、該第２のケースの内壁面に前記取り付け部材に対応する取り付け部材固定部を有すること
を特徴とする電池パック。
【請求項２】
前記電池モジュールが、ほぼ直方体の形状を有し、該直方体の形状の最も短い稜辺の近傍に並んで前記正極および負極の端子部材が位置し、該正極および負極の端子部材から前記直方体の形状の最も長い稜辺を挟んだ位置に該電池モジュールを前記第２のケース内に取り付けるための部位をさらに有し、
前記第２のケースが、該第２のケースの前記内壁面に前記部位に対応する固定部をさらに有すること
を特徴とする請求項１記載の電池パック。
【請求項３】
前記電池モジュールが、ほぼ直方体の形状を有し、該直方体の形状の最も長い稜辺を挟むように前記正極および負極の端子部材が位置することを特徴とする請求項１記載の電池パック。
【請求項４】
前記第２のケースに前記電池モジュールが少なくとも２つ収容され、
前記第２のケースの前記取り付け部材固定部が、導電性の部位を含み、
前記２つの電池モジュールが、前記取り付け部材固定部の前記導電性の部位により互いに電気的に接続されていること
を特徴とする請求項１記載の電池パック。
【請求項５】
前記第２のケースに前記電池モジュールが少なくとも２つ収容され、
前記２つの電池モジュールのうちの一方の電池モジュールの前記取り付け部材が、該２つの電池モジュールのうちの他方の電池モジュールの前記取り付け部材に電気的に接続するように延長された部位を有すること
を特徴とする請求項１記載の電池パック。
【請求項６】
前記第１のケースが、その一部として配線基板を有し、
前記電池モジュールの前記正極および負極の端子部材が、前記配線基板上に形成された導電部により構成されており、
前記電池モジュールが、前記バッテリセルどうしを電気的に接続するために、前記配線基板上に形成された第２の導電部を用いていること
を特徴とする請求項１記載の電池パック。
【請求項７】
前記配線基板が、前記電池モジュールの電圧検知回路を少なくとも有していることを特徴とする請求項６記載の電池パック。
【発明の詳細な説明】
【技術分野】
【０００１】
本発明は、ひとつ以上の電池モジュールを組み込んだ電池パックに係り、特に、組み立て性向上に資する電池パックに関する。
【背景技術】
【０００２】
ＨＥＶ（hybrid electric vehicle）、ＥＶ（electric vehicle）などの車両で使われるバッテリ装置は、比較的高出力でかつ頻繁な出力変化に対応する必要がある。このようなバッテリ装置は、一般的に、必要な出力や容量に応じて、バッテリセルを複数個電気的に接続しかつ機械的にも一体化した電池モジュールを組み込んで構成されることが多い。この装置は、さらに、電池モジュールを複数用い、加えて監視などの機能を担う回路も含む装置（電池パック、組電池などとも呼ばれている）として構成される場合もある。
【０００３】
電池パックでは、組み立てや保守の作業性を向上するため、電池モジュールを簡素な構成で組み込めるようにすることが望まれる。そのためのひとつとして、組み込みにかかわる部品の点数を抑制することが必要である。さらに、電池モジュールが複数組み込まれることに対応して、それら間の電気的な接続の構成を簡素化することもポイントになる。もとより構成の簡素化とともに、電気的、機械的な信頼性の確保を考慮しなければならない。
【０００４】
なお、上記用途の電池パック（組電池）の例として、下記特許文献１に開示のものがある。この開示では、電池モジュールの端子部材がケースへの取り付けの構造的な部材としても機能するような態様は、特に言及されていない。
【特許文献１】特開２００６−２３６８２６号公報
【発明の開示】
【発明が解決しようとする課題】
【０００５】
本発明は、上記の事情を考慮してなされたもので、ひとつ以上の電池モジュールを組み込んだ電池パックにおいて、簡素な構成で電池モジュールを組み込むことが可能な電池パックを提供することを目的とする。
【課題を解決するための手段】
【０００６】
上記の課題を解決するため、本発明の一態様である電池パックは、互いに電気的に接続されて単一の複合電池を構成する複数のバッテリセルと、該複数のバッテリセルをまとめて囲う第１のケースと、前記単一の複合電池の正極および負極の端子部材とを有する電池モジュールと、前記電池モジュールを収容する第２のケースと、を具備し、前記電池モジュールの前記端子部材が、構造的に、前記第２のケース内に該電池モジュールを取り付けるための取り付け部材になっており、前記第２のケースが、該第２のケースの内壁面に前記取り付け部材に対応する取り付け部材固定部を有することを特徴とする。
【０００７】
すなわち、この電池パックでは、電池モジュールがその必然として備える正極および負極の端子部材を、この電池モジュールを第２のケース内に取り付けるための取り付け部材としても機能させるようにしている。したがって、複数のバッテリセルをまとめて囲う第１のケースに、電池モジュールを第２のケース内に取り付け固定するための取り付け部をすべて別個に設けるには及ばず、またはその個数を減らすことが可能になり簡素な構成になる。
【発明の効果】
【０００８】
本発明によれば、ひとつ以上の電池モジュールを組み込んだ電池パックにおいて、簡素な構成で電池モジュールを組み込むことができる。
【発明を実施するための最良の形態】
【０００９】
本発明の実施態様として、前記電池モジュールが、ほぼ直方体の形状を有し、該直方体の形状の最も短い稜辺の近傍に並んで前記正極および負極の端子部材が位置し、該正極および負極の端子部材から前記直方体の形状の最も長い稜辺を挟んだ位置に該電池モジュールを前記第２のケース内に取り付けるための部位をさらに有し、前記第２のケースが、該第２のケースの前記内壁面に前記部位に対応する固定部をさらに有する、とすることができる。この態様は、電池モジュールを第２のケース内に固定するのに、正極および負極の端子部材と、これらと電池モジュールの最も長い稜辺を挟んだ位置に設けられた、取り付けるための部位とを用いて、安定的にこれを行うものである。第２のケース内に固定するのに端子部材を利用している分だけ簡素な構成になる。
【００１０】
また、実施態様として、前記電池モジュールが、ほぼ直方体の形状を有し、該直方体の形状の最も長い稜辺を挟むように前記正極および負極の端子部材が位置する、とすることができる。この態様は、電池モジュールを第２のケース内に固定するのに、電池モジュールの最も長い稜辺を挟むように位置する正極および負極の端子部材を用いて安定的に固定するものである。端子部材のみで第２のケース内に安定的に固定でき得るのでさらに簡素な構成になる。
【００１１】
また、実施態様として、前記第２のケースに前記電池モジュールが少なくとも２つ収容され、前記第２のケースの前記取り付け部材固定部が、導電性の部位を含み、前記２つの電池モジュールが、前記取り付け部材固定部の前記導電性の部位により互いに電気的に接続されている、とすることができる。これによれば、電池モジュールどうしを電気的に接続するための別個の部材を用意するには及ばず、電池モジュールを第２のケース内に取り付けるのみでその接続ができる。部品点数がさらに削減され、組み立て性がさらに向上する。
【００１２】
また、実施態様として、前記第２のケースに前記電池モジュールが少なくとも２つ収容され、前記２つの電池モジュールのうちの一方の電池モジュールの前記取り付け部材が、該２つの電池モジュールのうちの他方の電池モジュールの前記取り付け部材に電気的に接続するように延長された部位を有する、とすることができる。この場合も、電池モジュールどうしを電気的に接続するための別個の部材を用意するには及ばず、部品点数がさらに削減され、組み立て性がさらに向上する。
【００１３】
また、実施態様として、前記第１のケースが、その一部として配線基板を有し、前記電池モジュールの前記正極および負極の端子部材が、前記配線基板上に形成された導電部により構成されており、前記電池モジュールが、前記バッテリセルどうしを電気的に接続するために、前記配線基板上に形成された第２の導電部を用いている、とすることができる。この態様では、電池モジュールにおいて、バッテリセルどうしを電気的に接続するために、配線基板上に形成された導電部が用いられ、電池モジュールの正極および負極の端子部材としても、配線基板上に形成された導電部が用いられている。したがって、バッテリセルどうしの電気的接続部材を含めて部品点数を削減することができ、組み立て性がさらに向上する。
【００１４】
ここで、前記配線基板が、前記電池モジュールの電圧検知回路を少なくとも有しているとすることができる。配線基板として、電池モジュールの電圧検知を行う機能を備えさせたものである。電圧検知により、例えば、電池モジュールの残容量の推定、その推定を踏まえた充電指示信号の生成などの機能を持たせることもできる。
【００１５】
以上を踏まえ、以下では本発明の実施形態を図面を参照しながら説明する。図１は、本発明の一実施形態に係る電池パックに使用できる電池モジュールの構成を模式的に示す斜視図である。まず、この図１を参照して、電池パックの外装であるケースの中に収容すべき電池モジュールについてその構成を説明する。
【００１６】
図１に示すように、この電池モジュールは、上方板１１、下方板１２、前方板１３、後方板１４、側方板１５、１６（側方板１６は図２を参照）を有する電池モジュールケース１０（第１のケース）によって複数のバッテリセル（バッテリセルについては図２を参照）の六方を囲う構成を備えている。ケース１０のうち上方板１１には、この電池モジュールとしての端子である電池モジュール端子部材２１、２７と、バッテリセル間を電気的に接続するセル端子間接続部材２２、２３、２４、２５、２６とが付属している。これらの導電部分を除いて、上方板１１、下方板１２、前方板１３、後方板１４、側方板１５、１６は、それぞれ、例えばポリカーボネートのような絶縁樹脂でできている。前方板１３および後方板１４には、この電池モジュール内の放熱のため通風スリットを設けている。
【００１７】
上方板１１に付属する電池モジュール端子部材２１、２７は、このほぼ直方体の電池モジュールの最も短い稜辺の近傍に並んで設けられている。そして、それぞれ、その一部に貫通穴が設けられ、この貫通穴はこれに連続するように設けられた上方板１１の貫通穴に連なっている。また、電池モジュール端子部材２１、２７から電池モジュールの最も長い稜辺を挟んだ対向する上方板１１の位置には、この電池モジュールの取り付け部位としての取り付け穴１１ａが設けられている。
【００１８】
このような構成の電池モジュールは、電池パックの外装であるケース（第２のケース）の中にこれを収容してねじ（ボルトまたはビス）で固定する場合に、電池モジュール端子部材２１、２７の上記貫通穴、および上方板１１の上記取り付け穴１１ａを利用することができる。したがって、第２のケース内に収容、固定するために第１のケース１０にさらに別の取り付け穴を設けるには及ばず、電池モジュールとして簡素な構成になる。
【００１９】
図２は、図１に示した電池モジュールにおいて、そのケース１０のうちの上板１１を除いて示した斜視図である。図２において、図１中に示した構成要素と同一のものには同一符号を付してある。図２に示すように、下方板１２等で構成されるケース１０の中には、バッテリセル１、２、３、４、５、６が収容されている。すなわち、バッテリセル１等のセル端子部材が存在する面に上方板１１が対向し、上方板１１に付属するセル端子間接続部材２２、２３、２４、２５、２６がバッテリセル１〜６を電気的に直列接続して、単一の複合電池を構成するようになっている。また、バッテリセル１等は、前方板１３、後方板１４の通風スリット間を結ぶ方向に空間が生じるように多少離間して配置されている。
【００２０】
なお、バッテリセル１等は例えばリチウムイオン電池やニッケル水素電池などの２次電池である。バッテリセル１等と各板１１〜１４とは例えば接着剤で固着されている。また、各板１１〜１６どうしの相互の接続も例えば接着剤（不図示）による固着とすることができる。各板１１〜１６どうしの相互の接続については、接着剤以外では例えばねじ（不図示）止めとすることもできる。
【００２１】
図３は、図１に示した電池モジュールを使用した電池パックの構成を模式的に示す分解側面図である。図４は、図３に側面図で示した電池パックを分解斜視で示す図である。図３、図４において、すでに説明した図中に登場の構成要素と同一のものには同一符号を付してある。図３、図４においては、上記説明の電池モジュールを、電池パックの外装たる電池パックケース３０（第２のケース）の中に収容、固定する態様について説明する。
【００２２】
図３、図４に示すように、電池パックケース３０の内壁面には、電池モジュール端子部材２１、２７の貫通穴、および上方板１１の取り付け穴１１ａに対応するように、取り付け部材固定部（ないしは固定部）３１、３２が設けられている。これらの固定部３１、３２は、例えば電池パックケース３０がポリカーボネートのような樹脂性である場合、成形加工によりその内壁面から突起するように一体的に設けることができる。
【００２３】
固定部３１、３２の構成をより具体的に説明すると、これらには、電池モジュール端子部材２１、２７の貫通穴、および上方板１１の取り付け穴１１ａを貫通するボルト４１、４２、４３を螺合するためのめねじが設けられている。なお、このめねじ部分の強度を増すため、めねじを有する金属製の部材を埋め込むように固定部３１、３２を構成してもよい。
【００２４】
電池モジュール端子部材２１、２７上には、導電性の電池モジュール間接続部材５１、５２を設けることができ、これらの接続部材５１、５２は、これに設けられた貫通穴を通るボルト４１、４３により、電池モジュールのケース３０内への取り付けと同時に取り付け、固定することができる。電池モジュール間接続部材５１、５２は、ケース３０に収容され得る別の電池モジュール（不図示）との電気的な接続のための部材である。なお、この別の電池モジュールをケース３０内に取り付けるための取り付け部材固定部（ないしは固定部）は、説明の簡単化のため図示省略されている。
【００２５】
図３、図４を見て分かるように、この電池パックでは、電池モジュールがその必然として備える正極および負極の端子部材２１、２７を、この電池モジュールをケース３０内に取り付けるための取り付け部材としても機能させるようにしている。したがって、複数のバッテリセル１〜６を囲うケース１０に、電池モジュールをケース３０内に取り付け固定するための取り付け部をすべて別個に設けるには及ばず、その個数を減らし簡素な構成になる。電池モジュール間接続部材５１、５２の取り付けも、ボルト４１、４３の締め付けにより同時に行うことができ、ボルト数を減らし、組み立てや保守の容易性も向上している。この結果信頼性の向上にもなっている。
【００２６】
次に、本発明の別の実施形態について図５、図６を参照して説明する。図５は、本発明の別の実施形態に係る電池パックの構成を模式的に示す分解側面図である。図６は、図５に側面図で示した電池パックを分解斜視で示す図である。これらの図においてすでに説明した図中に登場の構成要素と同一のものには同一符号を付してある。その部分の説明は省略する。
【００２７】
この実施形態は、ケース１０Ａにおける上方板１１Ａの構成が上記の実施形態と異なる。上方板１１Ａには、この電池モジュールとしての端子である電池モジュール端子部材２１Ａ、２７Ａと、バッテリセル間を電気的に接続するセル端子間接続部材２２Ａ、２３Ａ、２４Ａ、２５Ａ、２６Ａとが付属している。上方板１１Ａに付属する電池モジュール端子部材２１Ａ、２７Ａは、このほぼ直方体の電池モジュールの最も長い稜辺を挟む位置に対向して設けられている。そして、それぞれ、その一部に貫通穴が設けられ、この貫通穴はこれに連続するように設けられた上方板１１Ａの貫通穴に連なっている。
【００２８】
なお、ケース１０Ａ内に収容されるバッテリセルについては、図２を参照して、例えば、バッテリセル１、２、３それぞれの正極端子部材と負極端子部材とが、図２に示したものとは反対の位置になるような配置で収容しておく。
【００２９】
図５、図６に示すように、電池パックケース３０Ａの内壁面には、電池モジュール端子部材２１Ａ、２７Ａの貫通穴に対応するように、取り付け部材固定部３１Ａ、３２Ａが設けられている。これらには、電池モジュール端子部材２１Ａ、２７Ａの貫通穴を貫通するボルト４１、４２を螺合するためのめねじが設けられている。
【００３０】
電池モジュール端子部材２１Ａ、２７Ａ上には、導電性の電池モジュール間接続部材５１Ａ、５２Ａを設けることができ、これらの接続部材５１Ａ、５２Ａは、これに設けられた貫通穴を通るボルト４１、４２により、電池モジュールのケース３０Ａ内への取り付けと同時に取り付け、固定することができる。電池モジュール間接続部材５１Ａ、５２Ａは、ケース３０Ａに収容され得る別の電池モジュール（不図示）との電気的な接続のための部材である。
【００３１】
この実施形態では、電池モジュールがその必然として備える正極および負極の端子部材２１Ａ、２７Ａを、電池モジュールの最も長い稜辺を挟んだ位置に設けているので、電池モジュールをケース３０Ａ内へ安定的に取り付け、固定するのに、２箇所のボルト４１、４２の締め付けで済ませることができる。したがって、図１ないし図４を参照して説明した実施形態よりさらに簡素な構成になる。電池モジュール間接続部材５１Ａ、５２Ａの取り付けを、ボルト４１、４２の締め付けにより同時に行うことができる点は上記実施形態と同様であるが、ボルト総数をさらに減らした分だけ、組み立てや保守の容易性がさらに向上している。
【００３２】
次に、本発明のさらに別の実施形態について図７、図８を参照して説明する。図７は、本発明のさらに別の実施形態に係る電池パックの構成を模式的に示す分解側面図である。図８は、図７に側面図で示した電池パックの構成を示す分解斜視図である。これらの図においてすでに説明した図中に登場の構成要素と同一のものには同一符号を付してある。その部分の説明は省略する。
【００３３】
この実施形態は、電池パックケース３０Ａの内壁面に設けられた取り付け部材固定部３１Ａ、３２Ａにさらに導電性部位５１Ｂ、５２Ｂを設けている点で、図５、図６を参照して説明した実施形態と異なる。導電性部位５１Ｂ、５２Ｂは、ボルト４１、４２が螺合する貫通穴を有し、ケース３０Ａに収容され得る別の電池モジュール（不図示）との電気的な接続のための部位になっている。したがって、電子モジュールが２以上収容される場合に、電池モジュール間接続部材５１Ａ、５２Ａ（図６参照）のような個別の部品を組み立ての際に使用する必要がなく、組み立てや保守の容易性が一層向上している。
【００３４】
次に、本発明のさらに別の実施形態について図９、図１０を参照して説明する。図９は、本発明のさらに別の実施形態に係る電池パックの構成を模式的に示す分解側面図である。図１０は、図９に側面図で示した電池パックを分解斜視で示す図である。これらの図においてすでに説明した図中に登場の構成要素と同一のものには同一符号を付してある。その部分の説明は省略する。
【００３５】
この実施形態は、図４における電池モジュール端子部材２１が、電池モジュール間接続部材となる延長部位を備えた電池モジュール端子部材２１Ｂになっている点で、図１ないし図４を参照して説明した実施形態と異なる。すなわち、電池モジュール間接続部材付きの電池モジュール端子部材２１Ｂを用いることで、電池モジュール間接続部材５２を使う必要がなくなる。なお、電池モジュール端子部材２７の側については、この電池モジュールの隣に収容されるべき別の電池モジュールが備える、電池モジュール間接続部材付きの電池モジュール端子部材によって電気的な接続がなされる。したがって、電池モジュール間接続部材５１も必要なくなる。
【００３６】
この実施形態の場合、電池モジュールどうしを電気的に接続するために電池モジュール間接続部材５１、５２のような別個の部材を用意するには及ばず、部品点数が削減され、組み立て性がより向上する。
【００３７】
次に、本発明のさらに別の実施形態について図１１を参照して説明する。図１１は、本発明のさらに別の実施形態に係る電池パックに使用できる電池モジュールの構成を模式的に示す一部分解部分を含む斜視図である。この電池モジュールを収める電池パックのケースについては、図１ないし図４を参照して説明した実施形態におけるケース３０と同様である。
【００３８】
この実施形態の電池モジュールでは、そのケースの上方板として配線基板１１０を用いるようにしている。配線基板１１０には、その表面上に形成された導電パターンによりセル端子間接続部材（第２の導電部）２２０、２３０、２４０、２５０、２６０、および電池モジュール端子部材（導電部）２１０、２７０が設けられている。配線基板１１０に備えられた取り付け穴１１０ａについては、図４における取り付け穴１１ａと機能として同様である。
【００３９】
セル端子間接続部材２２０、２３０、２４０、２５０、２６０、および電池モジュール端子部材２１０、２７０と、バッテリセル１〜６のセル端子部材との電気的接続には、例えばはんだ付けを採用することができる。配線基板１１０の表面上に形成される導電パターンは一般に、薄い金属箔を由来とするパターンであるため、図示するように、これらのパターンに重ねて金属板を例えばはんだにより積層、固定するようにすると、このような大電流が流れ得る電池モジュールとして好ましい形態になる。
【００４０】
この実施形態は、配線基板１１０上の端子部材２１０、２７０を、この電池モジュールをケース３０内に取り付けるための取り付け部材としても機能させるようにしている点では、図１ないし図４を参照して説明した実施形態と同じである。したがって、ボルト数を減らし、組み立てや保守の容易性を向上している。この結果信頼性の向上にもなっている。
【００４１】
次に、本発明のさらに別の実施形態について図１２を参照して説明する。図１２は、本発明のさらに別の実施形態に係る電池パックに使用できる電池モジュールの構成を模式的に示す一部分解部分を含む斜視図である。この電池モジュールを収める電池パックのケースについては、図１ないし図４を参照して説明した実施形態におけるケース３０と同様である。
【００４２】
この実施形態の電池モジュールは、その構成として、図１１を参照して説明した実施形態とほぼ同様であるが、さらに配線基板１１０に部品ユニット３００を実装している点で異なる。部品ユニット３００に対しては、配線基板１１０上に設けられた配線パターン（不図示）が接続され、この配線パターンは、さらに、セル端子間接続部材２２０、２３０、２４０、２５０、２６０、または電池モジュール端子部材２１０、２７０に導通されるように形成されている。
【００４３】
部品ユニット３００は、具体的に、例えば、複数のバッテリセル１〜６それぞれの電圧検知回路を含むユニットとすることができる。配線基板１１０には、部品ユニット３００のほかに、各種の電気／電子部品（不図示）を実装できるようにパターンが形成されていてもよい。バッテリセル１〜６それぞれの電圧検知により、例えば、バッテリセル１〜６それぞれの残容量の推定、その推定を踏まえた充電指示信号の生成などの機能を備えた回路を持たせることもできる。これらの信号の取り出しのためには、例えば配線基板１００上にコネクタ（不図示）を実装させておくなどの構成を採ることができる。
【００４４】
この実施形態では、このような部品ユニット３００を含めた電池モジュールとして組み立て性が非常によくなっている。また部品ユニット３００を具備することで電池モジュールとして付加価値が増加している一方、コンパクトなまとまりになっている。
【図面の簡単な説明】
【００４５】
【図１】本発明の一実施形態に係る電池パックに使用できる電池モジュールの構成を模式的に示す斜視図。
【図２】図１に示した電池モジュールにおいて、そのケースのうちの上板を除いて示した斜視図。
【図３】図１に示した電池モジュールを使用した電池パックの構成を模式的に示す分解側面図。
【図４】図３に側面図で示した電池パックを分解斜視で示す図。
【図５】本発明の別の実施形態に係る電池パックの構成を模式的に示す分解側面図。
【図６】図５に側面図で示した電池パックを分解斜視で示す図。
【図７】本発明のさらに別の実施形態に係る電池パックの構成を模式的に示す分解側面図。
【図８】図７に側面図で示した電池パックを分解斜視で示す図。
【図９】本発明のさらに別の（第４の）実施形態に係る電池パックの構成を模式的に示す分解側面図。
【図１０】図９に側面図で示した電池パックを分解斜視で示す図。
【図１１】本発明のさらに別の（第５の）実施形態に係る電池パックに使用できる電池モジュールの構成を模式的に示す一部分解部分を含む斜視図。
【図１２】本発明のさらに別の（第６の）実施形態に係る電池パックに使用できる電池モジュールの構成を模式的に示す一部分解部分を含む斜視図。
【符号の説明】
【００４６】
１，２，３，４，５，６…バッテリセル、１０，１０Ａ…電池モジュールケース（第１のケース）、１１，１１Ａ…上方板、１１ａ…取り付け穴（取り付け部位）、１２…下方板、１３…前方板、１４…後方板、１５，１６…側方板、２１，２１Ａ，２７，２７Ａ…電池モジュール端子部材、２２，２２Ａ，２３，２３Ａ，２４，２４Ａ，２５，２５Ａ，２６，２６Ａ…セル端子間接続部材、２１Ｂ…電池モジュール間接続部材付き電池モジュール端子部材、３０，３０Ａ…電池パックケース（第２のケース）、３１，３１Ａ、３２，３２Ａ…取り付け部材固定部（または固定部）、４１，４２，４３…ボルト、５１，５１Ａ，５２，５２Ａ…電池モジュール間接続部材、５１Ｂ，５２Ｂ…導電性部位、１１０…配線基板、１１０ａ…取り付け穴（取り付け部位）、２１０，２７０…配線基板による電池モジュール端子部材（導電部）、２２０，２３０，２４０，２５０，２６０…配線基板によるセル端子間接続部材（第２の導電部）、３００…部品ユニット。
【図１】
2010097723.tif 000003
【図２】
2010097723.tif 000004
【図３】
2010097723.tif 000005
【図４】
2010097723.tif 000006
【図５】
2010097723.tif 000007
【図６】
2010097723.tif 000008
【図７】
2010097723.tif 000009
【図８】
2010097723.tif 000010
【図９】
2010097723.tif 000011
【図１０】
2010097723.tif 000012
【図１１】
2010097723.tif 000013
【図１２】
2010097723.tif 000014